(57)【要約】【課題】軽量で小さく収納が可能で、組み立て途中で容易に分解することのなく、一部部品の故障や紛失があっても利用可能な分解組立自在な支承台を提供する。【解決手段】１枚の平板上に互いに接続可能な、両端に内側を向いた切り欠きを有する接続辺Ａと、両端に外側を向いた切り欠きを有する接続辺Ｂを有し、接続辺Ｂを弾性力を利用して湾曲させることで同等形状の平板の接続辺Ａに嵌め込み、前記平板を３枚以上枚数可変で連環状に接続した逆錘状凹型の支承凹部を有する支承台。【選択図】図１
2020020500.tif 000002
【特許請求の範囲】
【請求項１】
同等形状の平板のみで構成される、逆錐状凹型の支承凹部を有する支承台であって、前記平板は互いに接続可能な両端に内側に向いた切り欠きＡ（４）を有する接続辺Ａ（３）と、前記接続辺Ａと平行ではなく両端に外側を向いた切り欠きＢ（５）を有する接続辺Ｂ（９）を有す、前記平板を弾性力を利用して前記接続辺Ｂを湾曲させ前記切り欠きＢ間の直線距離を狭めことで同等形状の平板の前記接続辺Ａに嵌め込み、３枚以上の平板を連環状に接続することで組み立てられることを特徴とする分解組立自在な支承台。
【請求項２】
前記切り欠きＡの間が解放されており、前記切り欠きＢから前記接続辺Ｂが突出して支承台時の脚及び、組み立て時持ち手となっていることを特徴とする請求項１記載の分解組立可能な支承台。
【請求項３】
前記切り欠きＡの間の距離に対して前記切り欠きＢの間の距離が大きいことで接続したときに常時平板が湾曲していることを特徴とする請求項１、２の何れかに記載の分解組立自在な支承台。
【請求項４】
前記切り欠きＡの間が接続する平板の湾曲に合わせて弧を描いていることを特徴とする請求項１乃至３の何れかに記載の分割組立自在な支承台。
【請求項５】
前記切り欠きＢを複数有し、前記接続辺Ａを接続する位置を変更することで形状を変化させられることを特徴とする請求項１乃至４の何れかに記載の分割組立自在な支承台。
【発明の詳細な説明】
【技術分野】
【０００１】
本発明は、例えば焚き火台として利用できる分解組立自在な支承台に関する。
【背景技術】
【０００２】
屋外で焚き火や炭火を燃焼させる際に、それらの燃料を支承するために分解組立自在な支承台が用いられ、持ち運びに簡便なよう分解して小さく収納可能なようになっている。例えば特許文献１には、分解組立が可能な携帯型支承台の一例が記載されている。図８に示すように、特許文献１に記載されている支承台は、平板に設けられた切り欠きに他の平板の切り欠きを差し込み、スライドさせることで複数の平板を接続し、底板を用いることより構造を維持し分解組立を繰り返し行うことが可能な構成となっている。
【先行技術文献】
【特許文献】
【０００３】
【特許文献１】特開２０１１−７５２７０号公報
【発明の概要】
【発明が解決しようとする課題】
【０００４】
上記の技術によれば、組み立て途中は平板同士の接続が固定されないため組み立てにくく、構造を維持するためには底板を必要とする。また、複数の形状の部品の組み合せのため、一部故障や紛失により使用不能となる。
【０００５】
本発明が解決しようとする課題は平板同士の接続のみで容易に分解せずに組み立てやすく、同等形状の平板を用いて構成することで使用する平板の数を変更して使用可能で、収納時に小さく軽い分解組立可能な支承台を提供することである。さらに、キャンプやハイキング等はもちろん、自然災害発生時においても収納に便利で故障や紛失があっても平板の数を変更することで継続して使用が可能な支承台を提供することである。
【課題を解決するための手段】
【０００６】
以上の課題を解決するために、本発明の請求項１に係る支承台は、平板上に互いに接続可能な両端に内向きの切り欠きＡを有する接続辺Ａ及び両端に外向きの切り欠きＢを有する接続辺Ｂを有し、前記平板の弾性力を利用して前記切り欠きＡの間に同等形状の平板の前記切り欠きＢを湾曲させて嵌め込むことで平板同士を接続する、前記平板は前記接続辺Ａと前記接続辺Ｂを左右に有し、上端に対して下端が狭くなっており、３枚以上を連環状に接続することで逆錐状凹型の支承凹部を構成する。
【０００７】
また、請求項１に記載の支承台であって、内側を向いた前記切り欠きＡの間は前記接続辺Ｂを嵌め込みやすいよう解放されており、それに接続される前記接続辺Ｂは前記切り欠きＢより突出して支承台構成時に足および組み立て時に持ち手となる。また、本発明の請求項３に係る支承台は請求項１又は２に記載の支承台であって、前記切り欠きＡの間の距離に対して前記切り欠きＢの間の距離が大きいことにより、接続したときに常時平板が湾曲し、切り欠き同士は隙間なく接触する。また、本発明の請求項４に係る支承台は請求項１乃至３の何れかに記載の支承台であって、前記切り欠きＡの間が接続される平板との隙間を小さくするために湾曲に合わせて弧を描いてしている。
【０００８】
また、本発明の請求項５に係る支承台は請求項１乃至４の何れかに記載の支承台であって、前記平板上に前記切り欠きＢを複数有し、前記切り欠きＡの接続する位置を変更することが可能である。
【発明の効果】
【０００９】
本発明によれば、組み立て途中でも分解することがなく、組み立て時に湾曲させやすいよう持ち手を有するために組み立てやすく、同等形状の平板のみで組み立てられるため一部が故障、紛失しても組み立てられる支承台を提供することが出来る。また、支承台支承凹部の大きさに対して分解した際の平板が小さく薄いために収納に便利で接続する平板の数や位置を変更することで支承台の形状を変えて焚き火台とした際に燃料の消費を調節したり複数の支承台を組み立てることができるため、キャンプのみならず災害発生時などにも小さく軽く収納に便利で、故障に強く、柔軟な利用が可能である。
【図面の簡単な説明】
【００１０】
【図１】この発明の一実施形態を示す斜視図である。
【図２】図１を構成する平板の形状を示す平面図である。
【図３】図２の平板を５枚接続した際の形態を示す斜視図である。
【図４】図１の支承台と形状の異なる支承台の一実施形態を示す斜視図である。
【図５】図４を構成する平板の形状を示す平面図である。
【図６】図１で示した支承台と図５で示した支承台を組み合わせた形態を示す斜視図である。
【図７】図５で示した支承台の平板の接続方法を変更し、天板を乗せる際の形態を示す斜視図である。
【図８】従来技術を示す斜視図である。
【発明を実施するための形態】
【００１１】
この発明の実施形態を、図１乃至図７に示す。支承台の本体は弾性力を持った平板であり、図２の平板Ａを３枚以上複数枚を接続することで支承台となり、５枚接続することで図３の五枚組支承台、６枚接続することで図１の６枚組支承台Ａとなる。平板Ａは逆錐状凹型の支承凹部の上部となる長辺と下部となる短辺がほぼ平行な台形であり、左右に他の平板と接続される接続辺Ａと接続辺Ｂを有す。接続辺Ａと接続辺Ｂは互いに接続が可能であり、接続辺Ａは両端に内側を向いた切り欠きＡを有し、その間は解放されており接続される平板の湾曲に合わせて弧を描いている。接続辺Ｂは両端に外側を向く切り欠きＢを有し、両端の切り欠きＢの間の距離は、両端の切り欠きＡの間の距離よりも大きく、その間は突出して支承台の脚部となり、さらに接続辺Ａを接続するときに接続辺Ａと干渉せずに手で保持することが可能な持ち手となる。また脚部には分解時にリング等を付けて平板をまとめるためのリング通し穴を有す。
【００１２】
図５の平板Ｂを切り欠きＡと切り欠きＢで６枚接続することで図４の６枚組支承台Ｂとなる。６枚組支承台Ｂを錘状凸型に地面に設置し、中央の開口部に６枚組支承台Ａを入れることで図６の２台組立支承台となる。２台組立支承台はより安定性が上がり、支承可能重量が増え、焚き火台として使用した際に燃焼部分が接地面から離されるため燃焼による地面への影響を軽減することが可能である。支承凸部に底板を設置することにより、より地面への影響を軽減することが可能である。
【００１３】
平板Ｂは切り欠きＡと接続することの可能な切り欠きＢと切り欠きＢ’を有し、接続する位置を変えることで支承台の形状を変更することが可能である。また平板を１枚毎に上下反転させて偶数枚接続することで変形した多角柱状に組み立てることが可能である。平板Ｂを６枚、１枚毎に上下反転させて接続すると図７の変形６角柱となり逆錘状凹型にしたときよりも安定性と支承可能重量が大きくなり、上に天板を置くことでテーブル等として利用することが可能である。
【符号の説明】
【００１４】
１  ６枚組支承台Ａ
２  平板Ａ
３  接続辺Ａ
４  切り欠きＡ
５  切り欠きＢ
６  長辺
７  短辺
８  脚部
９  接続辺Ｂ
１０  リング通し穴
１１  ５枚組支承台
１２  ６枚組支承台Ｂ
１３  平板Ｂ
１４  切り欠きＢ’
１５  ２台組立支承台
１６  底板
１７  変形６角柱
１８  天板
【図１】
2020020500.tif 000003
【図２】
2020020500.tif 000004
【図３】
2020020500.tif 000005
【図４】
2020020500.tif 000006
【図５】
2020020500.tif 000007
【図６】
2020020500.tif 000008
【図７】
2020020500.tif 000009
【図８】
2020020500.tif 000010